(57)【要約】      （修正有）【課題】画像信号を確実に書き込み可能な表示装置を提供する。【解決手段】第１プリチャージ用電源１０ａ〜第３プリチャージ用電源１０ｃに蓄積されたいずれかのプリチャージ用電位を、表示する画像の階調に基づいて第1選択スイッチ３０ａ及び第２選択スイッチ３０ｂで選択し、信号線Ｓ１及び信号線Ｓ２にプリチャージする。【選択図】図１
2010019908.tif 000002
【特許請求の範囲】
【請求項１】
複数のプリチャージ用電源と、
信号供給回路から画像信号が印加される信号線と、
前記各プリチャージ用電源を前記信号線に選択的に接続する選択スイッチと、
前記各プリチャージ用電源のうちいずれかを選択するよう前記選択スイッチを制御するプリチャージ用電源選択回路と、
を有することを特徴とする表示装置。
【請求項２】
前記複数のプリチャージ用電源はｎ種類（ｎ≧３）のプリチャージ電位を供給可能であって、前記各プリチャージ用電源と前記信号線との導通を制御するスイッチが２個の直列スイッチで構成され、
前記プリチャージ用電源選択回路は、
ｎ個以下のＮＡＮＤ回路又はｎ個以下のＮＯＲ回路又はｎ個以下のＮＡＮＤ回路とＮＯＲ回路の組み合わせと、複数のインバータ回路とで構成されていることを特徴とする請求項１に記載の表示装置。
【請求項３】
前記複数のプリチャージ用電源はｎ種類（ｎ≧３）のプリチャージ電位を供給可能であって、前記各プリチャージ用電源と前記信号線との導通を制御するスイッチが１個のスイッチで構成され、
前記プリチャージ用電源選択回路は、
２ｎ個以下のＮＡＮＤ回路又は２ｎ個以下のＮＯＲ回路又はｎ個以下のＮＡＮＤ回路とＮＯＲ回路の組み合わせと、複数のインバータ回路とで構成されていることを特徴とする請求項１に記載の表示装置。
【請求項４】
前記信号線は複数であって、
前記選択スイッチは、当該複数の信号線のうちいずれかの信号線に前記各プリチャージ用電源を接続することを特徴とする請求項１乃至３のいずれか１項に記載の表示装置。
【請求項５】
前記信号供給回路は、
前記複数の信号線に前記画像信号を印加することを特徴とする請求項４に記載の表示装置。
【請求項６】
前記複数のプリチャージ用電源は、（２（ｎ−１）＋１）〜２ｎ種類（ｎ≧２）のプリチャージ電位を供給可能な電源であって、
前記選択スイッチは、
当該各プリチャージ用電源と前記信号線との間の夫々にｎ個のスイッチが直列に接続されていることを特徴とする請求項１に記載の表示装置。
【請求項７】
前記複数のプリチャージ用電源は、（２（ｎ−１）＋１）〜２ｎ種類（ｎ≧２）のプリチャージ電位を供給可能な電源であって、
前記選択スイッチは、
当該２ｎ個のプリチャージ用電源と前記信号線との間にΣ２ｍ（ｍ＝ｎ→１）個のスイッチが接続されていることを特徴とする請求項１に記載の表示装置。
【請求項８】
前記プリチャージ用電源選択回路は、
前記画像信号に応じて表示される画像の階調に基づいて前記選択スイッチを制御することを特徴とする請求項１乃至７のいずれか１項に記載の表示装置。
【請求項９】
前記プリチャージ用電源選択回路は、
前記画像信号の電位に基づいて前記選択スイッチを制御することを特徴とする請求項１乃至７のいずれか１項に記載の表示装置。
【請求項１０】
前記プリチャージ用電源選択回路は、
前記画像信号に応じて表示される画像の階調と、当該画像信号の電圧極性を制御する極性制御信号とに基づいて前記選択スイッチを制御することを特徴とする請求項１乃至５のいずれか１項に記載の表示装置。
【請求項１１】
前記プリチャージ用電源は、
薄膜トランジスタで形成されていることを特徴とする請求項１乃至１０のいずれか１項に記載の表示装置。
【請求項１２】
前記選択スイッチ及び前記プリチャージ用電源選択回路は、
薄膜トランジスタで形成されていることを特徴とする請求項１乃至１１のいずれか１項に記載の表示装置。
【発明の詳細な説明】
【技術分野】
【０００１】
本発明は、プリチャージ用電源を備える表示装置の技術に関する。
【背景技術】
【０００２】
一般に、映像や画像を表示する表示装置は、図１７に示すように、画素部５０を形成している信号線Ｓ１〜信号線Ｓ３に各信号供給回路から画像信号を順次印加する前に、第１プリチャージ電圧印加スイッチＰＲＳＷ１〜第３プリチャージ電圧印加スイッチＰＲＳＷ３をオンに制御してプリチャージ用電源を全ての信号線に接続し、該プリチャージ電源が保持するプリチャージ電位を全ての信号線に印加して、全信号線を同電位にプリチャージするようになっている。
【特許文献１】特開２００３−３２３１６０号公報
【発明の開示】
【発明が解決しようとする課題】
【０００３】
しかしながら、１つのプリチャージ用電源を用いてプリチャージするため、後に印加される画像信号の電位とプリチャージ電位との電位差が大きい場合には該画像信号を十分に書き込むことが困難であるという問題があった。
【０００４】
本発明は、上記を鑑みてなされたものであり、画像信号を確実に書き込み可能な表示装置を提供することを課題とする。
【課題を解決するための手段】
【０００５】
請求項１に記載の本発明は、複数のプリチャージ用電源と、信号供給回路から画像信号が印加される信号線と、前記各プリチャージ用電源を前記信号線に選択的に接続する選択スイッチと、前記各プリチャージ用電源のうちいずれかを選択するよう前記選択スイッチを制御するプリチャージ用電源選択回路と、を有することを要旨とする。
【０００６】
請求項２に記載の本発明は、前記複数のプリチャージ用電源はｎ種類（ｎ≧３）のプリチャージ電位を供給可能であって、前記各プリチャージ用電源と前記信号線との導通を制御するスイッチが２個の直列スイッチで構成され、前記プリチャージ用電源選択回路は、ｎ個以下のＮＡＮＤ回路又はｎ個以下のＮＯＲ回路又はｎ個以下のＮＡＮＤ回路とＮＯＲ回路の組み合わせと、複数のインバータ回路とで構成されていることを要旨とする。
【０００７】
請求項３に記載の本発明は、前記複数のプリチャージ用電源はｎ種類（ｎ≧３）のプリチャージ電位を供給可能であって、前記各プリチャージ用電源と前記信号線との導通を制御するスイッチが１個のスイッチで構成され、前記プリチャージ用電源選択回路は、２ｎ個以下のＮＡＮＤ回路又は２ｎ個以下のＮＯＲ回路又はｎ個以下のＮＡＮＤ回路とＮＯＲ回路の組み合わせと、複数のインバータ回路とで構成されていることを要旨とする。
【０００８】
請求項４に記載の本発明は、前記信号線は複数であって、前記選択スイッチは、当該複数の信号線のうちいずれかの信号線に前記各プリチャージ用電源を接続することを要旨とする。
【０００９】
請求項５に記載の本発明は、前記信号供給回路が、前記複数の信号線に前記画像信号を印加することを要旨とする。
【００１０】
請求項６に記載の本発明は、前記複数のプリチャージ用電源は、（２（ｎ−１）＋１）〜２ｎ種類（ｎ≧２）のプリチャージ電位を供給可能な電源であって、前記選択スイッチは、当該各プリチャージ用電源と前記信号線との間の夫々にｎ個のスイッチが直列に接続されていることを要旨とする。
【００１１】
請求項７に記載の本発明は、前記複数のプリチャージ用電源は、（２（ｎ−１）＋１）〜２ｎ種類（ｎ≧２）のプリチャージ電位を供給可能な電源であって、前記選択スイッチは、当該２ｎ個のプリチャージ用電源と前記信号線との間にΣ２ｍ（ｍ＝ｎ→１）個のスイッチが接続されていることを要旨とする。
【００１２】
請求項８に記載の本発明は、前記プリチャージ用電源選択回路が、前記画像信号に応じて表示される画像の階調に基づいて前記選択スイッチを制御することを要旨とする。
【００１３】
請求項９に記載の本発明は、前記プリチャージ用電源選択回路が、前記画像信号の電位に基づいて前記選択スイッチを制御することを特徴とする。
【００１４】
請求項１０に記載の本発明は、前記プリチャージ用電源選択回路が、前記画像信号に応じて表示される画像の階調と、当該画像信号の電圧極性を制御する極性制御信号とに基づいて前記選択スイッチを制御することを要旨とする。
【００１５】
請求項１１に記載の本発明は、前記プリチャージ用電源が、薄膜トランジスタで形成されていることを要旨とする。
【００１６】
請求項１２に記載の本発明は、前記選択スイッチ及び前記プリチャージ用電源選択回路が、薄膜トランジスタで形成されていることを要旨とする。
【発明の効果】
【００１７】
本発明によれば、画像信号を確実に書き込み可能な表示装置を提供することができる。
【発明を実施するための最良の形態】
【００１８】
以下、本実施の形態について図面を用いて説明する。
【００１９】
〔第１の実施の形態〕
図１は、第１の実施の形態に係る表示装置の機能ブロックを示す機能ブロック図である。この表示装置は、アクティブマトリクス型の表示装置であって、第１プリチャージ用電源１０ａ〜第３プリチャージ用電源１０ｃと、第１信号供給回路２０ａから画像信号が印加される信号線Ｓ１と、第２信号供給回路２０ｂから画像信号が印加される信号線Ｓ２と、第１プリチャージ用電源１０ａ〜第３プリチャージ用電源１０ｃを信号線Ｓ１に選択的に接続する第１選択スイッチ３０ａと、第１プリチャージ用電源１０ａ〜第３プリチャージ用電源１０ｃを信号線Ｓ２に選択的に接続する第２選択スイッチ３０ｂと、第１プリチャージ用電源１０ａ〜第３プリチャージ用電源１０ｃのうちいずれかを選択するよう第１選択スイッチ３０ａを制御する第１プリチャージ用電源選択回路４０ａと、第１プリチャージ用電源１０ａ〜第３プリチャージ用電源１０ｃのうちいずれかを選択するよう第２選択スイッチ３０ｂを制御する第２プリチャージ用電源選択回路４０ｂとを備えた構成である。なお、信号線Ｓ１及び信号線Ｓ２は、画像を表示する画素部５０を形成している。
【００２０】
第１プリチャージ用電源１０ａ〜第３プリチャージ用電源１０ｃには夫々異なるプリチャージ用電位が蓄積されており、第１プリチャージ用電源選択回路４０ａは、第１信号供給回路２０ａから信号線Ｓ１に画像信号が印加される前に、いずれかのプリチャージ用電源を選択する選択信号を第１選択スイッチ３０ａに送信する。そして、この選択信号に基づいて第１選択スイッチ３０ａの内部接続がオンに制御（例えば、第１プリチャージ用電源１０ａを選択する選択信号が送信された場合には、第１選択スイッチ３０ａのＡ端子とＳ端子とが接続される）された場合に、選択されたプリチャージ用電源に蓄積されたプリチャージ用電位が信号線Ｓ１に印加され、このプリチャージ用電位に応じた階調の画像が画素部５０に表示されることになる。
【００２１】
一方、信号線Ｓ２についても同様であり、第２プリチャージ用電源選択回路４０ｂは、第２信号供給回路２０ｂから信号線Ｓ２に画像信号が印加される前に、いずれかのプリチャージ用電源を選択する選択信号を第２選択スイッチ３０ｂに送信する。この選択信号に基づいて第２選択スイッチ３０ｂの内部接続がオンに制御された場合に、選択されたプリチャージ用電源に蓄積されたプリチャージ用電位が信号線Ｓ２に印加され、このプリチャージ用電位に応じた階調の画像が画素部５０に表示されることになる。
【００２２】
本実施の形態によれば、第１プリチャージ用電源１０ａ〜第３プリチャージ用電源１０ｃに蓄積されたいずれかのプリチャージ用電位を選択可能に信号線Ｓ１及び信号線Ｓ２にプリチャージするので、一様なプリチャージ電源のみを用いてプリチャージを行う従来の表示装置よりも柔軟にプリチャージすることが可能となり、引いては後に印加される画像信号電位とプリチャージ電位との電位差を小さくすることも可能となる。従って、画像信号を確実に書き込み可能な表示装置を提供することができる。更に、画像信号の書き込みを行う時間を短縮できるので、信号供給回路の信号選択数を増加することが可能となる。また、信号供給回路に画像信号を供給するＤＡＣ回路や信号供給回路の数量を低減可能となるので、消費電力の低減やＤＡＣ回路や信号供給回路に要される面積を削減することも可能となる。
【００２３】
（実施例１）
第１の実施の形態に係る表示装置の一実施例について説明する。図２は、第１の実施の形態に係る実施例１の表示装置の回路構成を示す回路図である。この表示装置は、図１を用いて説明した第１選択スイッチ３０ａが、第１プリチャージ用電源１０ａと信号線Ｓ１との間の接続をオンオフする第１ａプリチャージ用電源接続スイッチＰＲＳＷ１ａと、第２プリチャージ用電源１０ｂと信号線Ｓ１との間の接続をオンオフする第１ｂプリチャージ用電源接続スイッチＰＲＳＷ１ｂと、第３プリチャージ用電源１０ｃと信号線Ｓ１との間の接続をオンオフする第１ｃプリチャージ用電源接続スイッチＰＲＳＷ１ｃと、第１ａプリチャージ用電源接続スイッチＰＲＳＷ１ａ〜第１ｃプリチャージ用電源接続スイッチＰＲＳＷ１ｃと信号線Ｓ１との間に接続されて各プリチャージ用電源が信号線Ｓ１に印加されることを制御する第１プリチャージ電圧印加スイッチＰＲＳＷ１とで構成されている。
【００２４】
また、この表示装置は、図１を用いて説明した第２選択スイッチ３０ｂが、第１プリチャージ用電源１０ａと信号線Ｓ２との間の接続をオンオフする第２ａプリチャージ用電源接続スイッチＰＲＳＷ２ａと、第２プリチャージ用電源１０ｂと信号線Ｓ２との間の接続をオンオフする第２ｂプリチャージ用電源接続スイッチＰＲＳＷ２ｂと、第３プリチャージ用電源１０ｃと信号線Ｓ２との間の接続をオンオフする第２ｃプリチャージ用電源接続スイッチＰＲＳＷ２ｃと、第２ａプリチャージ用電源接続スイッチＰＲＳＷ２ａ〜第２ｃプリチャージ用電源接続スイッチＰＲＳＷ２ｃと信号線Ｓ２との間に接続されて各プリチャージ用電源が信号線Ｓ２に印加されることを制御する第２プリチャージ電圧印加スイッチＰＲＳＷ２とで構成されている。
【００２５】
更に、この表示装置は、第１信号供給回路２０ａから出力された画像信号が信号線Ｓ１に印加されることを制御する第１画像信号印加スイッチＯＳＷ１と、第２信号供給回路２０ｂから出力された画像信号が信号線Ｓ２に印加されることを制御する第２画像信号印加スイッチＯＳＷ２とを備えている。
【００２６】
図３は、実施例１の表示装置における第１プリチャージ用電源選択回路の回路構成を示す回路図である。この第１プリチャージ用電源選択回路４０ａは、２つの第１入力端ＩＮａ及び第２入力端ＩＮｂと、２つの第１インバータ回路ＩＶａ及び第２インバータ回路ＩＶｂと、３つの第１ＮＯＲ回路ＮＯＲａ〜第３ＮＯＲ回路ＮＯＲｃと、３つの第１出力端ＯＵＴａ〜第３出力端ＯＵＴｃとを備えた構成である。なお、第１出力端ＯＵＴａ〜第３出力端ＯＵＴｃは、図２に示す第１ａプリチャージ用電源接続スイッチＰＲＳＷ１ａ〜第１ｃプリチャージ用電源接続スイッチＰＲＳＷ１ｃを夫々制御するように接続されている。
【００２７】
続いて、図２及び図３を用いて実施例１における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積されているものとする。
【００２８】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第１ＮＯＲ回路ＮＯＲａに入力されると共に、第１インバータ回路ＩＶａを介して反転された後に第２ＮＯＲ回路ＮＯＲｂに入力される。また、第２入力端ＩＮｂに入力された値は、第１ＮＯＲ回路ＮＯＲａに入力されると共に、第２インバータ回路ＩＶｂを介して反転された後に第２ＮＯＲ回路ＮＯＲｂに入力される。
【００２９】
そして、第１ＮＯＲ回路ＮＯＲａは、入力された各値に基づいてＮＯＲ演算処理を行い、その処理結果を第１出力端ＯＵＴａ及び第３ＮＯＲ回路ＮＯＲｃに出力する。また、第２ＮＯＲ回路ＮＯＲｂは、入力された各値に基づいてＮＯＲ演算処理を行い、その処理結果を第３出力端ＯＵＴｃ及び第３ＮＯＲ回路ＮＯＲｃに出力する。そして、第３ＮＯＲ回路ＮＯＲｃは、入力された各値に基づいてＮＯＲ演算処理を行い、その処理結果を第２出力端ＯＵＴｂに出力する。
【００３０】
以上の動作により、第１プリチャージ用電源選択回路４０ａは、信号線Ｓ１に印加されるデジタル画像信号に基づいて、第１ａプリチャージ用電源接続スイッチＰＲＳＷ１ａ〜第１ｃプリチャージ用電源接続スイッチＰＲＳＷ１ｃのいずれかを選択する動作を行うことができる。具体的には、第１入力端ＩＮａ及び第２入力端ＩＮｂに「０」が入力される場合（画像信号が低階調の場合）には、第１ａプリチャージ用電源接続スイッチＰＲＳＷ１ａのみがオンに制御され、第１入力端ＩＮａ及び第２入力端ＩＮｂのいずれか一方に「０」（又は「１」）が入力される場合（画像信号が中階調の場合）には、第１ｂプリチャージ用電源接続スイッチＰＲＳＷ１ｂのみがオンに制御され、第１入力端ＩＮａ及び第２入力端ＩＮｂに「１」が入力される場合（画像信号が高階調の場合）には、第１ｃプリチャージ用電源接続スイッチＰＲＳＷ１ｃのみがオンに制御されることになる。
【００３１】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加される。具体的には、画像信号が低階調の場合には基準電位よりも低いプリチャージ電位が信号線Ｓ１に印加され、画像信号が中階調の場合には基準電位のプリチャージ電位が信号線Ｓ１に印加され、画像信号が高階調の場合には基準電位よりも高いプリチャージ電位が信号線Ｓ１に印加されることになる。その後、制御信号ＯＳＷにより第１画像信号印加スイッチＯＳＷ１がオンに制御されることで、第１信号供給回路２０ａから出力された画像信号が信号線Ｓ１に印加される。
【００３２】
即ち、信号線Ｓ１に印加されるデジタル画像信号に応じて画素部５０で表示される画像の階調や、画像信号の電位に基づいて、第１ａプリチャージ用電源接続スイッチＰＲＳＷ１ａ〜第１ｃプリチャージ用電源接続スイッチＰＲＳＷ１ｃのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００３３】
（実施例２）
第１の実施の形態に係る表示装置の一実施例について説明する。図４は、第１の実施の形態に係る実施例２の表示装置の回路構成を示す回路図である。この表示装置は、第４プリチャージ用電源１０ｄを更に備え、図１を用いて説明した第１選択スイッチ３０ａは、第１ａプリチャージ用電源接続スイッチＰＲＳＷ１ａと、第１ｂプリチャージ用電源接続スイッチＰＲＳＷ１ｂと、第１ｃプリチャージ用電源接続スイッチＰＲＳＷ１ｃと、第４プリチャージ用電源１０ｄと信号線Ｓ１との間の接続をオンオフする第４ｄプリチャージ用電源接続スイッチＰＲＳＷ１ｄと、第１ａプリチャージ用電源接続スイッチＰＲＳＷ１ａ〜第１ｄプリチャージ用電源接続スイッチＰＲＳＷ１ｄと信号線Ｓ１との間に接続されて各プリチャージ用電源が信号線Ｓ１に印加されることを制御する第１プリチャージ電圧印加スイッチＰＲＳＷ１とで構成されている。
【００３４】
また、この表示装置は、図１を用いて説明した第２選択スイッチ３０ｂが、第２ａプリチャージ用電源接続スイッチＰＲＳＷ２ａと、第２ｂプリチャージ用電源接続スイッチＰＲＳＷ２ｂと、第２ｃプリチャージ用電源接続スイッチＰＲＳＷ２ｃと、第４プリチャージ用電源１０ｄと信号線Ｓ２との間の接続をオンオフする第２ｄプリチャージ用電源接続スイッチＰＲＳＷ２ｄと、第２ａプリチャージ用電源接続スイッチＰＲＳＷ２ａ〜第２ｄプリチャージ用電源接続スイッチＰＲＳＷ２ｄと信号線Ｓ２との間に接続されて各プリチャージ用電源が信号線Ｓ２に印加されることを制御する第２プリチャージ電圧印加スイッチＰＲＳＷ２とで構成されている。
【００３５】
図５は、実施例２の表示装置における第１プリチャージ用電源選択回路の回路構成（第１例）を示す回路図である。この第１プリチャージ用電源選択回路４０ａは、２つの第１入力端ＩＮａ及び第２入力端ＩＮｂと、２つの第１インバータ回路ＩＶａ及び第２インバータ回路ＩＶｂと、４つの第１ＮＯＲ回路ＮＯＲａ〜第４ＮＯＲ回路ＮＯＲｄと、４つの第１出力端ＯＵＴａ〜第４出力端ＯＵＴｄとを備えた構成である。なお、第１出力端ＯＵＴａ〜第４出力端ＯＵＴｄは、図４に示す第１ａプリチャージ用電源接続スイッチＰＲＳＷ１ａ〜第１ｄプリチャージ用電源接続スイッチＰＲＳＷ１ｄを夫々制御するように接続されている。
【００３６】
続いて、図４及び図５を用いて実施例２における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００３７】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第１ＮＯＲ回路ＮＯＲａ及び第３ＮＯＲ回路ＮＯＲｃに入力されると共に、第１インバータ回路ＩＶａを介して反転された後に第２ＮＯＲ回路ＮＯＲｂ及び第４ＮＯＲ回路ＮＯＲｄに入力される。また、第２入力端ＩＮｂに入力された値は、第１ＮＯＲ回路ＮＯＲａ及び第２ＮＯＲ回路ＮＯＲｂに入力されると共に、第２インバータ回路ＩＶｂを介して反転された後に第３ＮＯＲ回路ＮＯＲｃ及び第４ＮＯＲ回路ＮＯＲｄに入力される。
【００３８】
そして、第１ＮＯＲ回路ＮＯＲａは、入力された各値に基づいてＮＯＲ演算処理を行い、その処理結果を第１出力端ＯＵＴａに出力する。また、第２ＮＯＲ回路ＮＯＲｂは、入力された各値に基づいてＮＯＲ演算処理を行い、その処理結果を第２出力端ＯＵＴｂに出力する。更に、第３ＮＯＲ回路ＮＯＲｃは、入力された各値に基づいてＮＯＲ演算処理を行い、その処理結果を第３出力端ＯＵＴｃに出力する。又更に、第４ＮＯＲ回路ＮＯＲｄは、入力された各値に基づいてＮＯＲ演算処理を行い、その処理結果を第４出力端ＯＵＴｄに出力する。
【００３９】
以上の動作により、第１プリチャージ用電源選択回路４０ａは、信号線Ｓ１に印加されるデジタル画像信号に基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００４０】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加され、制御信号ＯＳＷにより第１画像信号印加スイッチＯＳＷ１がオンに制御されることで、第１信号供給回路２０ａから出力された画像信号が信号線Ｓ１に印加される。
【００４１】
即ち、信号線Ｓ１に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００４２】
図６は、実施例２の表示装置における第１プリチャージ用電源選択回路の回路構成（第２例）を示す回路図である。この第１プリチャージ用電源選択回路４０ａは、２つの第１入力端ＩＮａ及び第２入力端ＩＮｂと、６つの第１インバータ回路ＩＶａ〜第６インバータ回路ＩＶｆと、４つの第１ＮＡＮＤ回路ＮＡＮＤａ〜第４ＮＡＮＤ回路ＮＡＮＤｄと、４つの第１出力端ＯＵＴａ〜第４出力端ＯＵＴｄとを備えた構成である。なお、第１出力端ＯＵＴａ〜第４出力端ＯＵＴｄは、図４に示す第１ａプリチャージ用電源接続スイッチＰＲＳＷ１ａ〜第１ｄプリチャージ用電源接続スイッチＰＲＳＷ１ｄを夫々制御するように接続されている。
【００４３】
続いて、図４及び図６を用いて実施例２における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００４４】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第２ＮＡＮＤ回路ＮＡＮＤｂ及び第４ＮＡＮＤ回路ＮＡＮＤｄに入力されると共に、第１インバータ回路ＩＶａを介して反転された後に第１ＮＡＮＤ回路ＮＡＮＤａ及び第３ＮＡＮＤ回路ＮＡＮＤｃに入力される。また、第２入力端ＩＮｂに入力された値は、第３ＮＡＮＤ回路ＮＡＮＤｃ及び第４ＮＡＮＤ回路ＮＡＮＤｄに入力されると共に、第２インバータ回路ＩＶｂを介して反転された後に第１ＮＡＮＤ回路ＮＡＮＤａ及び第２ＮＡＮＤ回路ＮＡＮＤｂに入力される。
【００４５】
そして、第１ＮＡＮＤ回路ＮＡＮＤａは、入力された各値に基づいてＮＡＮＤ演算処理を行い、その処理結果を第３インバータ回路ＩＶｃで反転した後に、第１出力端ＯＵＴａに出力する。また、第２ＮＡＮＤ回路ＮＡＮＤｂは、入力された各値に基づいてＮＡＮＤ演算処理を行い、その処理結果を第４インバータ回路ＩＶｄで反転した後に、第２出力端ＯＵＴｂに出力する。更に、第３ＮＡＮＤ回路ＮＡＮＤｃは、入力された各値に基づいてＮＡＮＤ演算処理を行い、その処理結果を第５インバータ回路ＩＶｅで反転した後に、第３出力端ＯＵＴｃに出力する。又更に、第４ＮＡＮＤ回路ＮＡＮＤｄは、入力された各値に基づいてＮＡＮＤ演算処理を行い、その処理結果を第６インバータ回路ＩＶｆで反転した後に、第４出力端ＯＵＴｄに出力する。
【００４６】
以上の動作により、第１プリチャージ用電源選択回路４０ａは、信号線Ｓ１に印加されるデジタル画像信号に基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００４７】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加され、制御信号ＯＳＷにより第１画像信号印加スイッチＯＳＷ１がオンに制御されることで、第１信号供給回路２０ａから出力された画像信号が信号線Ｓ１に印加される。
【００４８】
即ち、信号線Ｓ１に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００４９】
図７は、実施例２の表示装置における第１プリチャージ用電源選択回路の回路構成（第３例）を示す回路図である。この第１プリチャージ用電源選択回路４０ａは、２つの第１入力端ＩＮａ及び第２入力端ＩＮｂと、２つの第１インバータ回路ＩＶａ及び第２インバータ回路ＩＶｂと、２つの第１ＮＡＮＤ回路ＮＡＮＤａ及び第２ＮＡＮＤ回路ＮＡＮＤｂと、２つの第１ＮＯＲ回路ＮＯＲａ及び第２ＮＯＲ回路ＮＯＲｂと、４つの第１出力端ＯＵＴａ〜第４出力端ＯＵＴｄとを備えた構成である。なお、第１出力端ＯＵＴａ〜第４出力端ＯＵＴｄは、図４に示す第１ａプリチャージ用電源接続スイッチＰＲＳＷ１ａ〜第１ｄプリチャージ用電源接続スイッチＰＲＳＷ１ｄを夫々制御するように接続されている。
【００５０】
続いて、図４及び図７を用いて実施例２における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００５１】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第２ＮＡＮＤ回路ＮＡＮＤｂ及び第１ＮＯＲ回路ＮＯＲａに入力されると共に、第１インバータ回路ＩＶａを介して反転された後に第１ＮＡＮＤ回路ＮＡＮＤａ及び第２ＮＯＲ回路ＮＯＲｂに入力される。また、第２入力端ＩＮｂに入力された値は、第２インバータ回路ＩＶｂを介して反転された後に第１ＮＡＮＤ回路ＮＡＮＤａと第２ＮＡＮＤ回路ＮＡＮＤｂと第１ＮＯＲ回路ＮＯＲａと第２ＮＯＲ回路ＮＯＲｂとに入力される。
【００５２】
そして、第１ＮＡＮＤ回路ＮＡＮＤａは、入力された各値に基づいてＮＡＮＤ演算処理を行い、その処理結果を第１出力端ＯＵＴａに出力する。また、第２ＮＡＮＤ回路ＮＡＮＤｂは、入力された各値に基づいてＮＡＮＤ演算処理を行い、その処理結果を第２出力端ＯＵＴｂに出力する。更に、第１ＮＯＲ回路ＮＯＲａは、入力された各値に基づいてＮＯＲ演算処理を行い、その処理結果を第３出力端ＯＵＴｃに出力する。又更に、第２ＮＯＲ回路ＮＯＲｂは、入力された各値に基づいてＮＯＲ演算処理を行い、その処理結果を第４出力端ＯＵＴｄに出力する。
【００５３】
以上の動作により、第１プリチャージ用電源選択回路４０ａは、信号線Ｓ１に印加されるデジタル画像信号に基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００５４】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加され、制御信号ＯＳＷにより第１画像信号印加スイッチＯＳＷ１がオンに制御されることで、第１信号供給回路２０ａから出力された画像信号が信号線Ｓ１に印加される。
【００５５】
即ち、信号線Ｓ１に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００５６】
図８は、実施例２の表示装置における第１プリチャージ用電源選択回路の回路構成（第４例）を示す回路図である。この第１プリチャージ用電源選択回路４０ａは、３つの第１入力端ＩＮａ〜第３入力端ＩＮｃと、５つの第１インバータ回路ＩＶａ〜第５インバータ回路ＩＶｅと、２つの第１ＮＡＮＤ回路ＮＡＮＤａ及び第２ＮＡＮＤ回路ＮＡＮＤｂと、４つの第１ＮＯＲ回路ＮＯＲａ〜第４ＮＯＲ回路ＮＯＲｄと、４つの第１出力端ＯＵＴａ〜第４出力端ＯＵＴｄとを備えた構成である。なお、第１出力端ＯＵＴａ〜第４出力端ＯＵＴｄは、図４に示す第１ａプリチャージ用電源接続スイッチＰＲＳＷ１ａ〜第１ｄプリチャージ用電源接続スイッチＰＲＳＷ１ｄを夫々制御するように接続されている。
【００５７】
続いて、図４及び図８を用いて実施例２における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００５８】
まず、第２入力端ＩＮｂには、信号線Ｓ１に印加されるデジタル画像信号の最上位ビットが入力され、第１入力端ＩＮａには次位ビットが入力される。また、第３入力端ＩＮｃには、デジタル画像信号が信号線Ｓ１に印加された際における液晶印加電圧の極性を制御する極性制御信号ＰＯＬが入力される。第３入力端ＩＮｃに入力された値は、スイッチＳＷｂ及びスイッチＳＷｄに入力されると共に、第５インバータ回路ＩＶｅを介して反転された後にスイッチＳＷａ及びスイッチＳＷｃに入力される。即ち、極性制御信号ＰＯＬにより、スイッチＳＷａ又はスイッチＳＷｂのいずれかがオンに制御され、スイッチＳＷｃ又はスイッチＳＷｄのいずれかがオンに制御されることになる。
【００５９】
そして、スイッチＳＷａ及びスイッチＳＷｃがオンに制御された場合（スイッチＳＷｂ及びスイッチＳＷｄがオフに制御）に、第１入力端ＩＮａに入力された値は、第１インバータ回路ＩＶａを介して反転された後に第１ＮＯＲ回路ＮＯＲａ及び第３ＮＯＲ回路ＮＯＲｃに入力されると共に、第１インバータ回路ＩＶａを介して反転された後に更に第３インバータ回路ＩＶｃを介して反転された後に第２ＮＯＲ回路ＮＯＲｂ及び第４ＮＯＲ回路ＮＯＲｄに入力される。また、第２入力端ＩＮｂに入力された値は、第２インバータ回路ＩＶｂを介して反転された後に第１ＮＯＲ回路ＮＯＲａ及び第２ＮＯＲ回路ＮＯＲｂに入力されると共に、第２インバータ回路ＩＶｂを介して反転された後に更に第４インバータ回路ＩＶｄを介して反転された後に第３ＮＯＲ回路ＮＯＲｃ及び第４ＮＯＲ回路ＮＯＲｄに入力される。
【００６０】
一方、スイッチＳＷｂ及びスイッチＳＷｄがオンに制御された場合（スイッチＳＷａ及びスイッチＳＷｃがオフに制御）に、第１入力端ＩＮａに入力された値は、第１ＮＯＲ回路ＮＯＲａ及び第３ＮＯＲ回路ＮＯＲｃに入力されると共に、第３インバータ回路ＩＶｃを介して反転された後に第２ＮＯＲ回路ＮＯＲｂ及び第４ＮＯＲ回路ＮＯＲｄに入力される。また、第２入力端ＩＮｂに入力された値は、第１ＮＯＲ回路ＮＯＲａ及び第２ＮＯＲ回路ＮＯＲｂに入力されると共に、第４インバータ回路ＩＶｄを介して反転された後に第３ＮＯＲ回路ＮＯＲｃ及び第４ＮＯＲ回路ＮＯＲｄに入力される。
【００６１】
そして、第１ＮＯＲ回路ＮＯＲａは、入力された各値に基づいてＮＯＲ演算処理を行い、その処理結果を第１出力端ＯＵＴａに出力する。また、第２ＮＯＲ回路ＮＯＲｂは、入力された各値に基づいてＮＯＲ演算処理を行い、その処理結果を第２出力端ＯＵＴｂに出力する。更に、第３ＮＯＲ回路ＮＯＲｃは、入力された各値に基づいてＮＯＲ演算処理を行い、その処理結果を第３出力端ＯＵＴｃに出力する。又更に、第４ＮＯＲ回路ＮＯＲｄは、入力された各値に基づいてＮＯＲ演算処理を行い、その処理結果を第４出力端ＯＵＴｄに出力する。
【００６２】
以上の動作により、第１プリチャージ用電源選択回路４０ａは、信号線Ｓ１に印加されるデジタル画像信号及び極性制御信号ＰＯＬに基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００６３】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加され、制御信号ＯＳＷにより第１画像信号印加スイッチＯＳＷ１がオンに制御されることで、第１信号供給回路２０ａから出力された画像信号が信号線Ｓ１に印加される。
【００６４】
即ち、信号線Ｓ１に印加されるデジタル画像信号に応じて画素部５０で表示される画像の階調や、画像信号の電位、更には極性制御信号に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００６５】
なお、実施例１及び実施例２では、複数のプリチャージ電源が３又は４種類のプリチャージ電位を持つ場合であって、プリチャージ用電源選択回路がこれら３又は４種類のプリチャージ電位のうちいずれかを選択する場合について説明したが、これら種類のみに限定されるものではない。即ち、複数のプリチャージ用電源がｎ種類（ｎ≧３）のプリチャージ電位を供給可能である場合に、各プリチャージ用電源と信号線との導通を制御するスイッチが２個以上の直列スイッチで構成され、第１プリチャージ用電源選択回路４０ａが、ｎ個以下のＮＡＮＤ回路又はｎ個以下のＮＯＲ回路又はｎ個以下のＮＡＮＤ回路とＮＯＲ回路の組み合わせと、複数のインバータ回路とで構成され、ｎ種類のプリチャージ電位のうちいずれかを選択可能であればよい。
【００６６】
また、図８に示す極性制御信号ＰＯＬを用いてプリチャージ電源を選択する方法は、後述する全ての実施例及び実施の形態に適用可能である。
【００６７】
（実施例３）
第１の実施の形態に係る表示装置の一実施例について説明する。図９は、第１の実施の形態に係る実施例３の表示装置の回路構成を示す回路図である。この表示装置は、第４プリチャージ用電源１０ｄを更に備え、図１を用いて説明した第１選択スイッチ３０ａは、第１ａプリチャージ用電源接続スイッチＰＲＳＷ１ａと、第１ｂプリチャージ用電源接続スイッチＰＲＳＷ１ｂと、第１ｃプリチャージ用電源接続スイッチＰＲＳＷ１ｃと、第４プリチャージ用電源１０ｄと信号線Ｓ１との間の接続をオンオフする第４ｄプリチャージ用電源接続スイッチＰＲＳＷ１ｄとで構成されている。
【００６８】
また、この表示装置は、図１を用いて説明した第２選択スイッチ３０ｂが、第２ａプリチャージ用電源接続スイッチＰＲＳＷ２ａと、第２ｂプリチャージ用電源接続スイッチＰＲＳＷ２ｂと、第２ｃプリチャージ用電源接続スイッチＰＲＳＷ２ｃと、第４プリチャージ用電源１０ｄと信号線Ｓ２との間の接続をオンオフする第２ｄプリチャージ用電源接続スイッチＰＲＳＷ２ｄとで構成されている。
【００６９】
図１０は、実施例３の表示装置における第１プリチャージ用電源選択回路の回路構成を示す回路図である。この第１プリチャージ用電源選択回路４０ａは、３つの第１入力端ＩＮａ〜第３入力端ＩＮｃと、６つの第１インバータ回路ＩＶａ〜第６インバータ回路ＩＶｆと、４つの第１ＮＯＲ回路ＮＯＲａ〜第４ＮＯＲ回路ＮＯＲｄと、４つの第１ＮＡＮＤ回路ＮＡＮＤａ〜第４ＮＡＮＤ回路ＮＡＮＤｄと、４つの第１出力端ＯＵＴａ〜第４出力端ＯＵＴｄとを備えた構成である。なお、第１出力端ＯＵＴａ〜第４出力端ＯＵＴｄは、図９に示す第１ａプリチャージ用電源接続スイッチＰＲＳＷ１ａ〜第１ｄプリチャージ用電源接続スイッチＰＲＳＷ１ｄを夫々制御するように接続されている。
【００７０】
続いて、図９及び図１０を用いて実施例３における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００７１】
まず、第２入力端ＩＮｂには、信号線Ｓ１に印加されるデジタル画像信号の最上位ビットが入力され、第１入力端ＩＮａには次位ビットが入力される。また、第３入力端ＩＮｃには、プリチャージ信号ＰＲＣが入力される。第１入力端ＩＮａに入力された値は、第１ＮＯＲ回路ＮＯＲａ及び第３ＮＯＲ回路ＮＯＲｃに入力されると共に、第１インバータ回路ＩＶａを介して反転された後に第２ＮＯＲ回路ＮＯＲｂ及び第４ＮＯＲ回路ＮＯＲｄに入力される。また、第２入力端ＩＮｂに入力された値は、第１ＮＯＲ回路ＮＯＲａ及び第２ＮＯＲ回路ＮＯＲｂに入力されると共に、第２インバータ回路ＩＶｂを介して反転された後に第３ＮＯＲ回路ＮＯＲｃ及び第４ＮＯＲ回路ＮＯＲｄに入力される。
【００７２】
そして、第１ＮＯＲ回路ＮＯＲａは、入力された各値に基づいてＮＯＲ演算処理を行い、その処理結果を第１ＮＡＮＤ回路ＮＡＮＤａに出力する。また、第２ＮＯＲ回路ＮＯＲｂは、入力された各値に基づいてＮＯＲ演算処理を行い、その処理結果を第２ＮＡＮＤ回路ＮＡＮＤｂに出力する。更に、第３ＮＯＲ回路ＮＯＲｃは、入力された各値に基づいてＮＯＲ演算処理を行い、その処理結果を第３ＮＡＮＤ回路ＮＡＮＤｃに出力する。又更に、第４ＮＯＲ回路ＮＯＲｄは、入力された各値に基づいてＮＯＲ演算処理を行い、その処理結果を第４ＮＡＮＤ回路ＮＡＮＤｄに出力する。
【００７３】
その後、第１ＮＡＮＤ回路ＮＡＮＤａは、第１ＮＯＲ回路ＮＯＲａの演算結果とプリチャージ信号ＰＲＣとを入力し、入力された各値に基づいてＮＡＮＤ演算処理を行い、その処理結果を第３インバータ回路ＩＶｃで反転した後に、第１出力端ＯＵＴａに出力する。また、第２ＮＡＮＤ回路ＮＡＮＤｂは、第２ＮＯＲ回路ＮＯＲｂの演算結果とプリチャージ信号ＰＲＣとを入力し、入力された各値に基づいてＮＡＮＤ演算処理を行い、その処理結果を第４インバータ回路ＩＶｄで反転した後に、第２出力端ＯＵＴｂに出力する。更に、第３ＮＡＮＤ回路ＮＡＮＤｃは、第３ＮＯＲ回路ＮＯＲｃの演算結果とプリチャージ信号ＰＲＣとを入力し、入力された各値に基づいてＮＡＮＤ演算処理を行い、その処理結果を第５インバータ回路ＩＶｅで反転した後に、第３出力端ＯＵＴｃに出力する。又更に、第４ＮＡＮＤ回路ＮＡＮＤｄは、第４ＮＯＲ回路ＮＯＲｄの演算結果とプリチャージ信号ＰＲＣとを入力し、入力された各値に基づいてＮＡＮＤ演算処理を行い、その処理結果を第６インバータ回路ＩＶｆで反転した後に、第４出力端ＯＵＴｄに出力する。
【００７４】
以上の動作により、第１プリチャージ用電源選択回路４０ａは、信号線Ｓ１に印加されるデジタル画像信号及びプリチャージ信号ＰＲＣに基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００７５】
最後に、制御信号ＯＳＷにより第１画像信号印加スイッチＯＳＷ１がオンに制御されることで、第１信号供給回路２０ａから出力された画像信号が信号線Ｓ１に印加される。
【００７６】
即ち、信号線Ｓ１に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００７７】
なお、実施例３では、複数のプリチャージ電源が４種類のプリチャージ電位を持つ場合であって、プリチャージ用電源選択回路がこれら４種類のプリチャージ電位のうちいずれかを選択する場合について説明したが、それら種類のみに限定されるものではない。即ち、実施例１及び実施例２と同様に、複数のプリチャージ用電源がｎ種類（ｎ≧３）のプリチャージ電位を供給可能である場合に、各プリチャージ用電源と信号線との導通を制御するスイッチが１個のスイッチで構成され、第１プリチャージ用電源選択回路４０ａが、２ｎ個以下のＮＡＮＤ回路又は２ｎ個以下のＮＯＲ回路又はｎ個以下のＮＡＮＤ回路とＮＯＲ回路の組み合わせと、複数のインバータ回路とで構成され、ｎ種類のプリチャージ電位のうちいずれかを選択可能であればよい。
【００７８】
（実施例４）
第１の実施の形態に係る表示装置の一実施例について説明する。図１１は、第１の実施の形態に係る実施例４の表示装置の回路構成を示す回路図である。この表示装置は、第４プリチャージ用電源１０ｄを更に備え、図１を用いて説明した第１選択スイッチ３０ａは、第１ａプリチャージ用電源接続スイッチＰＲＳＷ１ａと、第１ｂプリチャージ用電源接続スイッチＰＲＳＷ１ｂと、第１ｃプリチャージ用電源接続スイッチＰＲＳＷ１ｃと、第４プリチャージ用電源１０ｄと信号線Ｓ１との間の接続をオンオフする第４ｄプリチャージ用電源接続スイッチＰＲＳＷ１ｄと、第１ａプリチャージ用電源接続スイッチＰＲＳＷ１ａ〜第１ｄプリチャージ用電源接続スイッチＰＲＳＷ１ｄと信号線Ｓ１との間に接続されて各プリチャージ用電源が信号線Ｓ１に印加されることを制御する第１プリチャージ電圧印加スイッチＰＲＳＷ１と、第１ａプリチャージ用電源接続スイッチＰＲＳＷ１ａ〜第１ｄプリチャージ用電源接続スイッチＰＲＳＷ１ｄと信号線Ｓ２との間に接続されて各プリチャージ用電源が信号線Ｓ２に印加されることを制御する第２プリチャージ電圧印加スイッチＰＲＳＷ２とで構成されている。なお、第１プリチャージ電圧印加スイッチＰＲＳＷ１及び第２プリチャージ電圧印加スイッチＰＲＳＷ２は、印加スイッチ制御回路６０から出力されるプリチャージ信号ＰＲＣａ又はプリチャージ信号ＰＲＣｂによりオンオフが夫々制御される。また、画像信号をデジタル信号からアナログ信号に変換するＤＡＣ（Digital Analog Converter）回路７０が、複数の信号線（信号線Ｓ１及び信号線Ｓ２）に画像信号を供給するようになっている。
【００７９】
図１２は、実施例４の表示装置における第１プリチャージ用電源選択回路の回路構成を示す回路図である。この第１プリチャージ用電源選択回路４０ａは、２つの第１入力端ＩＮａ及び第２入力端ＩＮｂと、２つの第１インバータ回路ＩＶａ及び第２インバータ回路ＩＶｂと、４つの第１ＮＯＲ回路ＮＯＲａ〜第４ＮＯＲ回路ＮＯＲｄと、４つの第１出力端ＯＵＴａ〜第４出力端ＯＵＴｄとを備えた構成である。なお、第１出力端ＯＵＴａ〜第４出力端ＯＵＴｄは、図１１に示す第１ａプリチャージ用電源接続スイッチＰＲＳＷ１ａ〜第１ｄプリチャージ用電源接続スイッチＰＲＳＷ１ｄを夫々制御するように接続されている。
【００８０】
続いて、図１１及び図１２を用いて実施例４における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００８１】
まず、第２入力端ＩＮｂには、信号線Ｓ１又は信号線Ｓ２に印加されるデジタル画像信号の最上位ビットが入力され、第１入力端ＩＮａには次位ビットが入力される。第１入力端ＩＮａに入力された値は、第１ＮＯＲ回路ＮＯＲａ及び第３ＮＯＲ回路ＮＯＲｃに入力されると共に、第１インバータ回路ＩＶａを介して反転された後に第２ＮＯＲ回路ＮＯＲｂ及び第４ＮＯＲ回路ＮＯＲｄに入力される。また、第２入力端ＩＮｂに入力された値は、第１ＮＯＲ回路ＮＯＲａ及び第２ＮＯＲ回路ＮＯＲｂに入力されると共に、第２インバータ回路ＩＶｂを介して反転された後に第３ＮＯＲ回路ＮＯＲｃ及び第４ＮＯＲ回路ＮＯＲｄに入力される。
【００８２】
そして、第１ＮＯＲ回路ＮＯＲａは、入力された各値に基づいてＮＯＲ演算処理を行い、その処理結果を第１出力端ＯＵＴａに出力する。また、第２ＮＯＲ回路ＮＯＲｂは、入力された各値に基づいてＮＯＲ演算処理を行い、その処理結果を第２出力端ＯＵＴｂに出力する。更に、第３ＮＯＲ回路ＮＯＲｃは、入力された各値に基づいてＮＯＲ演算処理を行い、その処理結果を第３出力端ＯＵＴｃに出力する。又更に、第４ＮＯＲ回路ＮＯＲｄは、入力された各値に基づいてＮＯＲ演算処理を行い、その処理結果を第４出力端ＯＵＴｄに出力する。
【００８３】
以上の動作により、第１プリチャージ用電源選択回路４０ａは、信号線Ｓ１又は信号線Ｓ２に印加されるデジタル画像信号に基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００８４】
最後に、印加スイッチ制御回路６０から出力されたプリチャージ信号ＰＲＣａ又はプリチャージ信号ＰＲＣｂにより第１プリチャージ電圧印加スイッチＰＲＳＷ１又は第２プリチャージ電圧印加スイッチＰＲＳＷ２のいずれかがオンに制御されることで、選択されたプリチャージ用電源に蓄積されたプリチャージ電位が信号線Ｓ１又は信号線Ｓ２に印加され、制御信号ＯＳＷにより第１画像信号印加スイッチＯＳＷ１及び第２画像信号印加スイッチＯＳＷ２がオンに制御されることで、第１信号供給回路２０ａ及び第２信号供給回路２０ｂから夫々出力された画像信号が信号線Ｓ１及び信号線Ｓ２に印加される。
【００８５】
即ち、信号線Ｓ１又は信号線Ｓ２に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００８６】
（実施例５）
第１の実施の形態に係る表示装置の一実施例について説明する。図１３は、第１の実施の形態に係る実施例５の表示装置の回路構成を示す回路図である。この表示装置は、第４プリチャージ用電源１０ｄを更に備え、図１を用いて説明した第１選択スイッチ３０ａは、第１ａプリチャージ用電源接続スイッチＰＲＳＷ１ａと、第１ｂプリチャージ用電源接続スイッチＰＲＳＷ１ｂと、第１ｃプリチャージ用電源接続スイッチＰＲＳＷ１ｃと、第４プリチャージ用電源１０ｄと信号線Ｓ１との間の接続をオンオフする第４ｄプリチャージ用電源接続スイッチＰＲＳＷ１ｄと、第１ａプリチャージ用電源接続スイッチＰＲＳＷ１ａ〜第１ｄプリチャージ用電源接続スイッチＰＲＳＷ１ｄと信号線Ｓ１との間に接続されて各プリチャージ用電源が信号線Ｓ１に印加されることを制御する第１プリチャージ電圧印加スイッチＰＲＳＷ１と、第１ａプリチャージ用電源接続スイッチＰＲＳＷ１ａ〜第１ｄプリチャージ用電源接続スイッチＰＲＳＷ１ｄと信号線Ｓ２との間に接続されて各プリチャージ用電源が信号線Ｓ２に印加されることを制御する第２プリチャージ電圧印加スイッチＰＲＳＷ２とで構成されている。なお、第１プリチャージ電圧印加スイッチＰＲＳＷ１及び第２プリチャージ電圧印加スイッチＰＲＳＷ２は、第１印加スイッチ制御回路６０ａから出力されるプリチャージ信号ＰＲＣａ又はプリチャージ信号ＰＲＣｂによりオンオフが夫々制御される。また、第１画像信号印加スイッチＯＳＷ１及び第２画像信号印加スイッチＯＳＷ２は、第２印加スイッチ制御回路６０ｂから出力される制御信号ＯＳＷａ又は制御信号ＯＳＷｂによりオンオフが夫々制御される。更に、第１信号供給回路２０ａは、複数の信号線（信号線Ｓ１及び信号線Ｓ２）に画像信号を供給するようになっている。
【００８７】
図１４は、実施例５の表示装置における第１プリチャージ用電源選択回路の回路構成を示す回路図である。この第１プリチャージ用電源選択回路４０ａは、２つの第１入力端ＩＮａ及び第２入力端ＩＮｂと、２つの第１インバータ回路ＩＶａ及び第２インバータ回路ＩＶｂと、４つの第１ＮＯＲ回路ＮＯＲａ〜第４ＮＯＲ回路ＮＯＲｄと、４つの第１出力端ＯＵＴａ〜第４出力端ＯＵＴｄとを備えた構成である。なお、第１出力端ＯＵＴａ〜第４出力端ＯＵＴｄは、図１３に示す第１ａプリチャージ用電源接続スイッチＰＲＳＷ１ａ〜第１ｄプリチャージ用電源接続スイッチＰＲＳＷ１ｄを夫々制御するように接続されている。
【００８８】
続いて、図１３及び図１４を用いて実施例４における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００８９】
まず、第２入力端ＩＮｂには、信号線Ｓ１又は信号線Ｓ２に印加されるデジタル画像信号の最上位ビットが入力され、第１入力端ＩＮａには次位ビットが入力される。第１入力端ＩＮａに入力された値は、第１ＮＯＲ回路ＮＯＲａ及び第３ＮＯＲ回路ＮＯＲｃに入力されると共に、第１インバータ回路ＩＶａを介して反転された後に第２ＮＯＲ回路ＮＯＲｂ及び第４ＮＯＲ回路ＮＯＲｄに入力される。また、第２入力端ＩＮｂに入力された値は、第１ＮＯＲ回路ＮＯＲａ及び第２ＮＯＲ回路ＮＯＲｂに入力されると共に、第２インバータ回路ＩＶｂを介して反転された後に第３ＮＯＲ回路ＮＯＲｃ及び第４ＮＯＲ回路ＮＯＲｄに入力される。
【００９０】
そして、第１ＮＯＲ回路ＮＯＲａは、入力された各値に基づいてＮＯＲ演算処理を行い、その処理結果を第１出力端ＯＵＴａに出力する。また、第２ＮＯＲ回路ＮＯＲｂは、入力された各値に基づいてＮＯＲ演算処理を行い、その処理結果を第２出力端ＯＵＴｂに出力する。更に、第３ＮＯＲ回路ＮＯＲｃは、入力された各値に基づいてＮＯＲ演算処理を行い、その処理結果を第３出力端ＯＵＴｃに出力する。又更に、第４ＮＯＲ回路ＮＯＲｄは、入力された各値に基づいてＮＯＲ演算処理を行い、その処理結果を第４出力端ＯＵＴｄに出力する。
【００９１】
以上の動作により、第１プリチャージ用電源選択回路４０ａは、信号線Ｓ１又は信号線Ｓ２に印加されるデジタル画像信号に基づいて、第１ａプリチャージ用電源接続スイッチＰＲＳＷ１ａ〜第１ｄプリチャージ用電源接続スイッチＰＲＳＷ１ｄのいずれかを選択する動作を行うことができる。
【００９２】
最後に、第１印加スイッチ制御回路６０ａから出力されたプリチャージ信号ＰＲＣａ又はプリチャージ信号ＰＲＣｂにより第１プリチャージ電圧印加スイッチＰＲＳＷ１又は第２プリチャージ電圧印加スイッチＰＲＳＷ２のいずれかがオンに制御されることで、選択されたプリチャージ用電源に蓄積されたプリチャージ電位が信号線Ｓ１又は信号線Ｓ２に印加される。また、第２印加スイッチ制御回路６０ｂから出力された制御信号ＯＳＷａ及び制御信号ＯＳＷｂにより第１画像信号印加スイッチＯＳＷ１又は第２画像信号印加スイッチＯＳＷ２がオンに制御されることで、第１信号供給回路２０ａから出力された画像信号が信号線Ｓ１又は信号線Ｓ２に印加される。
【００９３】
即ち、信号線Ｓ１及び信号線Ｓ２に印加されるデジタル画像信号に応じて画素部５０で表示される画像の階調や、画像信号の電位に基づいて、第１ａプリチャージ用電源接続スイッチＰＲＳＷ１ａ〜第１ｄプリチャージ用電源接続スイッチＰＲＳＷ１ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。
【００９４】
〔第２の実施の形態〕
図１５は、第２の実施の形態に係る表示装置の機能ブロックを示す機能ブロック図である。この表示装置は、アクティブマトリクス型の表示装置であって、第１プリチャージ用電源１０ａ〜第４プリチャージ用電源１０ｄと、第１信号供給回路２０ａから画像信号が印加される信号線Ｓ１と、第２信号供給回路２０ｂから画像信号が印加される信号線Ｓ２と、第１プリチャージ用電源１０ａ〜第４プリチャージ用電源１０ｄを信号線Ｓ１に選択的に接続する第１プリチャージ用電源選択回路４０ａとを備えた構成である。なお、信号線Ｓ１及び信号線Ｓ２は、画像を表示する画素部５０を形成している。
【００９５】
また、この表示装置は、第１プリチャージ用電源選択回路４０ａで選択されたプリチャージ用電源が信号線Ｓ１に印加されることを制御する第１プリチャージ電圧印加スイッチＰＲＳＷ１を備えると共に、第１信号供給回路２０ａから出力された画像信号が信号線Ｓ１に印加されることを制御する第１画像信号印加スイッチＯＳＷ１と、第２信号供給回路２０ｂから出力された画像信号が信号線Ｓ２に印加されることを制御する第２画像信号印加スイッチＯＳＷ２とを備えている。
【００９６】
第１プリチャージ用電源選択回路４０ａは、２つの第１入力端ＩＮａ及び第２入力端ＩＮｂと、４つの第１スイッチＳＷ１１〜第４スイッチＳＷ１４と、４つの第１反転スイッチＳＷ２１〜第４反転スイッチＳＷ２４とを備え、第１プリチャージ用電源１０ａと信号線Ｓ１との間に第１反転スイッチＳＷ２１と第２反転スイッチＳＷ２２とを直列接続し、第２プリチャージ用電源１０ｂと信号線Ｓ１との間に第３反転スイッチＳＷ２３と第１スイッチＳＷ１１とを直列接続し、第３プリチャージ用電源１０ｃと信号線Ｓ１との間に第２スイッチＳＷ１２と第４反転スイッチＳＷ２４とを直列接続し、第４プリチャージ用電源１０ｄと信号線Ｓ１との間に第３スイッチＳＷ１３と第４スイッチＳＷ１４とを直列接続した構成である。なお、第１入力端ＩＮａは、第２反転スイッチＳＷ２２と第１スイッチＳＷ１１と第４反転スイッチＳＷ２４と第４スイッチＳＷ１４とを制御するように接続されており、第２入力端ＩＮｂは、第１反転スイッチＳＷ２１と第３反転スイッチＳＷ２３と第２スイッチＳＷ１２と第３スイッチＳＷ１３とを制御するように接続されている。
【００９７】
続いて、本実施の形態における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【００９８】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第２反転スイッチＳＷ２２と第１スイッチＳＷ１１と第４反転スイッチＳＷ２４と第４スイッチＳＷ１４とを夫々制御し、第２入力端ＩＮｂに入力された値は、第１反転スイッチＳＷ２１と第３反転スイッチＳＷ２３と第２スイッチＳＷ１２と第３スイッチＳＷ１３とを夫々制御する。
【００９９】
即ち、第１プリチャージ用電源選択回路４０ａは、信号線Ｓ１に印加されるデジタル画像信号に基づいて、第１プリチャージ用電源１０ａ〜第４プリチャージ用電源１０ｄのいずれかを選択する動作を行う。具体的には、第１入力端ＩＮａ及び第２入力端ＩＮｂに「０」が入力される場合（画像信号が低階調の場合）には、第１プリチャージ用電源１０ａのみが選択され、第１入力端ＩＮａに「１」が入力されると共に第２入力端ＩＮｂに「０」が入力される場合（画像信号が中階調の場合）には、第２プリチャージ用電源１０ｂのみが選択され、第１入力端ＩＮａに「０」が入力されると共に第２入力端ＩＮｂに「１」が入力される場合（画像信号が高階調の場合）には、第３プリチャージ用電源１０ｃのみが選択され、第１入力端ＩＮａ及び第２入力端ＩＮｂに「１」が入力される場合（画像信号が更に高階調の場合）には、第４プリチャージ用電源１０ｄのみが選択されることになる。
【０１００】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加される。具体的には、画像信号が低階調の場合には基準電位よりも低いプリチャージ電位が信号線Ｓ１に印加され、画像信号が中階調の場合には基準電位のプリチャージ電位が信号線Ｓ１に印加され、画像信号が高階調の場合には基準電位よりも高いプリチャージ電位が信号線Ｓ１に印加され、画像信号が更に高階調の場合には基準電位よりも更に高いプリチャージ電位が信号線Ｓ１に印加されることになる。その後、制御信号ＯＳＷにより第１画像信号印加スイッチＯＳＷ１がオンに制御されることで、第１信号供給回路２０ａから出力された画像信号が信号線Ｓ１に印加される。
【０１０１】
即ち、信号線Ｓ１に印加されるデジタル画像信号に応じて画素部５０で表示される画像の階調や、画像信号の電位に基づいて、第１プリチャージ用電源１０ａ〜第４プリチャージ用電源１０ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。更に、画像信号の書き込みを行う時間を短縮できるので、信号供給回路の信号選択数を増加することが可能となる。また、信号供給回路に画像信号を供給するＤＡＣ回路や信号供給回路の数量を低減可能となるので、消費電力の低減やＤＡＣ回路や信号供給回路に要される面積を削減することも可能となる。
【０１０２】
なお、本実施の形態では、複数のプリチャージ電源が４種類のプリチャージ電位を持つ場合であって、各プリチャージ電源と信号線Ｓ１との間に２つのスイッチが直列接続されている場合について説明したが、４種類のプリチャージ電源や２つのスイッチに限定されるものではない。即ち、複数のプリチャージ用電源が（２（ｎ−１）＋１）〜２ｎ種類（ｎ≧２）のプリチャージ電位を供給可能な電源である場合に、第１プリチャージ用電源選択回路４０ａが、これら各プリチャージ用電源と信号線Ｓ１との間の夫々にｎ個のスイッチが直列に接続されている構成を備えるものであればよい。
【０１０３】
〔第３の実施の形態〕
図１６は、第３の実施の形態に係る表示装置の機能ブロックを示す機能ブロック図である。この表示装置は、アクティブマトリクス型の表示装置であって、第１プリチャージ用電源１０ａ〜第４プリチャージ用電源１０ｄと、第１信号供給回路２０ａから画像信号が印加される信号線Ｓ１と、第２信号供給回路２０ｂから画像信号が印加される信号線Ｓ２と、第１プリチャージ用電源１０ａ〜第４プリチャージ用電源１０ｄを信号線Ｓ１に選択的に接続する第１プリチャージ用電源選択回路４０ａとを備えた構成である。なお、信号線Ｓ１及び信号線Ｓ２は、画像を表示する画素部５０を形成している。
【０１０４】
また、この表示装置は、第１プリチャージ用電源選択回路４０ａで選択されたプリチャージ用電源が信号線Ｓ１に印加されることを制御する第１プリチャージ電圧印加スイッチＰＲＳＷ１を備えると共に、第１信号供給回路２０ａから出力された画像信号が信号線Ｓ１に印加されることを制御する第１画像信号印加スイッチＯＳＷ１と、第２信号供給回路２０ｂから出力された画像信号が信号線Ｓ２に印加されることを制御する第２画像信号印加スイッチＯＳＷ２とを備えている。
【０１０５】
第１プリチャージ用電源選択回路４０ａは、２つの第１入力端ＩＮａ及び第２入力端ＩＮｂと、３つの第１スイッチＳＷ１１〜第３スイッチＳＷ１３と、３つの第１反転スイッチＳＷ２１〜第３反転スイッチＳＷ２３とを備え、第１プリチャージ用電源１０ａと信号線Ｓ１との間に第１反転スイッチＳＷ２１と第２反転スイッチＳＷ２２とを直列接続し、第２プリチャージ用電源１０ｂと信号線Ｓ１との間に第１スイッチＳＷ１１と第２反転スイッチＳＷ２２とを直列接続し、第３プリチャージ用電源１０ｃと信号線Ｓ１との間に第３反転スイッチＳＷ２３と第３スイッチＳＷ１３とを直列接続し、第４プリチャージ用電源１０ｄと信号線Ｓ１との間に第２スイッチＳＷ１２と第３スイッチＳＷ１３とを直列接続した構成である。なお、第１入力端ＩＮａは、第１反転スイッチＳＷ２１と第１スイッチＳＷ１１と第３反転スイッチＳＷ２３と第２スイッチＳＷ１２とを制御するように接続されており、第２入力端ＩＮｂは、第２反転スイッチＳＷ２２と第３スイッチＳＷ１３とを制御するように接続されている。
【０１０６】
続いて、本実施の形態における表示装置の動作について説明する。なお、第２プリチャージ用電源１０ｂに蓄積されたプリチャージ電位を基準電位とした場合に、第１プリチャージ用電源１０ａには基準電位よりも低い電位が蓄積され、第３プリチャージ用電源１０ｃには基準電位よりも高い電位が蓄積され、第４プリチャージ用電源１０ｄには第３プリチャージ用電源１０ｃが蓄積する電位よりも高い電位が蓄積されているものとする。
【０１０７】
まず、第２入力端ＩＮｂには、信号線Ｓ１に印加されるデジタル画像信号の最上位ビットが入力され、第１入力端ＩＮａには次位ビットが入力される。第１入力端ＩＮａに入力された値は、第１反転スイッチＳＷ２１と第１スイッチＳＷ１１と第２反転スイッチＳＷ２２と第２スイッチＳＷ１２とを夫々制御し、第２入力端ＩＮｂに入力された値は、第２反転スイッチＳＷ２２と第３スイッチＳＷ１３とを夫々制御する。
【０１０８】
即ち、第１プリチャージ用電源選択回路４０ａは、信号線Ｓ１に印加されるデジタル画像信号に基づいて、第１プリチャージ用電源１０ａ〜第４プリチャージ用電源１０ｄのいずれかを選択する動作を行う。具体的には、第１入力端ＩＮａ及び第２入力端ＩＮｂに「０」が入力される場合（画像信号が低階調の場合）には、第１プリチャージ用電源１０ａのみが選択され、第１入力端ＩＮａに「１」が入力されると共に第２入力端ＩＮｂに「０」が入力される場合（画像信号が中階調の場合）には、第２プリチャージ用電源１０ｂのみが選択され、第１入力端ＩＮａに「０」が入力されると共に第２入力端ＩＮｂに「１」が入力される場合（画像信号が高階調の場合）には、第３プリチャージ用電源１０ｃのみが選択され、第１入力端ＩＮａ及び第２入力端ＩＮｂに「１」が入力される場合（画像信号が更に高階調の場合）には、第４プリチャージ用電源１０ｄのみが選択されることになる。
【０１０９】
最後に、プリチャージ信号ＰＲＣにより第１プリチャージ電圧印加スイッチＰＲＳＷ１がオンに制御されることで、選択されたプリチャージ用電源に蓄積されたプリチャージ電位が信号線Ｓ１に印加される。具体的には、画像信号が低階調の場合には基準電位よりも低いプリチャージ電位が信号線Ｓ１に印加され、画像信号が中階調の場合には基準電位のプリチャージ電位が信号線Ｓ１に印加され、画像信号が高階調の場合には基準電位よりも高いプリチャージ電位が信号線Ｓ１に印加され、画像信号が更に高階調の場合には基準電位よりも更に高いプリチャージ電位が信号線Ｓ１に印加されることになる。その後、制御信号ＯＳＷにより第１画像信号印加スイッチＯＳＷ１がオンに制御されることで、第１信号供給回路２０ａから出力された画像信号が信号線Ｓ１に印加される。
【０１１０】
即ち、信号線Ｓ１に印加されるデジタル画像信号に応じて画素部５０で表示される画像の階調や、画像信号の電位に基づいて、第１プリチャージ用電源１０ａ〜第４プリチャージ用電源１０ｄのいずれかを選択してプリチャージするので、一様なプリチャージ電源のみを用いてプリチャージを行う従来の表示装置よりも柔軟にプリチャージすることが可能となる。また、画像信号の階調により近い電位を用いてプリチャージするので、印加される画像信号電位とプリチャージ電位との電位差を小さくすることが可能となり、画像信号を確実に書き込み可能な表示装置を提供することができる。更に、画像信号の書き込みを行う時間を短縮できるので、信号供給回路の信号選択数を増加することが可能となる。また、信号供給回路に画像信号を供給するＤＡＣ回路や信号供給回路の数量を低減可能となるので、消費電力の低減やＤＡＣ回路や信号供給回路に要される面積を削減することも可能となる。
【０１１１】
なお、本実施の形態では、複数のプリチャージ電源が４種類のプリチャージ電位を持つ場合であって、各プリチャージ電源と信号線Ｓ１との間に２つのスイッチが直列接続されている場合について説明したが、４種類のプリチャージ電源や２つのスイッチに限定されるものではない。即ち、複数のプリチャージ用電源が（２（ｎ−１）＋１）〜２ｎ種類（ｎ≧２）のプリチャージ電位を供給可能な電源である場合に、第１プリチャージ用電源選択回路４０ａが、２ｎ個のプリチャージ用電源と信号線Ｓ１との間にΣ２ｍ（ｍ＝ｎ→１）個のスイッチが接続されている構成を備えるものであればよい。
【０１１２】
最後に、上記全ての実施の形態で説明したプリチャージ用電源，選択スイッチ，プリチャージ用電源選択回路は、薄膜トランジスタ（ＴＦＴ：Thin Film Transistor）で形成されているものとする。
【図面の簡単な説明】
【０１１３】
【図１】第１の実施の形態に係る表示装置の機能ブロックを示す機能ブロック図である。
【図２】第１の実施の形態に係る実施例１の表示装置の回路構成を示す回路図である。
【図３】実施例１の表示装置における第１プリチャージ用電源選択回路の回路構成を示す回路図である。
【図４】第１の実施の形態に係る実施例２の表示装置の回路構成を示す回路図である。
【図５】実施例２の表示装置における第１プリチャージ用電源選択回路の回路構成（第１例）を示す回路図である。
【図６】実施例２の表示装置における第１プリチャージ用電源選択回路の回路構成（第２例）を示す回路図である。
【図７】実施例２の表示装置における第１プリチャージ用電源選択回路の回路構成（第３例）を示す回路図である。
【図８】実施例２の表示装置における第１プリチャージ用電源選択回路の回路構成（第４例）を示す回路図である。
【図９】第１の実施の形態に係る実施例３の表示装置の回路構成を示す回路図である。
【図１０】実施例３の表示装置における第１プリチャージ用電源選択回路の回路構成を示す回路図である。
【図１１】第１の実施の形態に係る実施例４の表示装置の回路構成を示す回路図である。
【図１２】実施例４の表示装置における第１プリチャージ用電源選択回路の回路構成を示す回路図である。
【図１３】第１の実施の形態に係る実施例５の表示装置の回路構成を示す回路図である。
【図１４】実施例５の表示装置における第１プリチャージ用電源選択回路の回路構成を示す回路図である。
【図１５】第２の実施の形態に係る表示装置の機能ブロックを示す機能ブロック図である。
【図１６】第３の実施の形態に係る表示装置の機能ブロックを示す機能ブロック図である。
【図１７】従来の表示装置における信号線近傍の構成を示す構成図である。
【符号の説明】
【０１１４】
ＩＮａ〜ＩＮｃ…第１〜第３入力端
ＩＶａ〜ＩＶｆ…第１〜第６インバータ回路
ＮＡＮＤａ〜ＮＡＮＤｄ…第１〜第４ＮＡＮＤ回路
ＮＯＲａ〜ＮＯＲｄ…第１〜第４ＮＯＲ回路
ＯＵＴａ〜ＯＵＴｄ…第１〜第４出力端
Ｓ１〜Ｓ３…信号線
ＳＷａ〜ＳＷｄ，ＳＷ１１〜１４…スイッチ
ＳＷ２１〜２４…反転スイッチ
ＯＳＷ１〜ＯＳＷ２…第１〜第２画像信号印加スイッチ
ＰＲＳＷ１〜ＰＲＳＷ３…第１〜第３プリチャージ電圧印加スイッチ
ＰＲＳＷ１ａ〜ＰＲＳＷ１ｄ…第１ａ〜第１ｄプリチャージ用電源接続スイッチ
ＰＲＳＷ２ａ〜ＰＲＳＷ２ｄ…第２ａ〜第２ｄプリチャージ用電源接続スイッチ
１０ａ〜１０ｄ…第１〜第４プリチャージ用電源
２０ａ〜２０ｂ…第１〜第２信号供給回路
３０ａ〜３０ｂ…第１〜第２選択スイッチ
４０ａ〜４０ｂ…第１〜第２プリチャージ用電源選択回路
５０…画素部
６０…印加スイッチ制御回路
６０ａ〜６０ｂ…第１〜第２印加スイッチ制御回路
７０…ＤＡＣ回路
【図１】
2010019908.tif 000003
【図２】
2010019908.tif 000004
【図３】
2010019908.tif 000005
【図４】
2010019908.tif 000006
【図５】
2010019908.tif 000007
【図６】
2010019908.tif 000008
【図７】
2010019908.tif 000009
【図８】
2010019908.tif 000010
【図９】
2010019908.tif 000011
【図１０】
2010019908.tif 000012
【図１１】
2010019908.tif 000013
【図１２】
2010019908.tif 000014
【図１３】
2010019908.tif 000015
【図１４】
2010019908.tif 000016
【図１５】
2010019908.tif 000017
【図１６】
2010019908.tif 000018
【図１７】
2010019908.tif 000019